(57)【要約】本発明は、脱衣時に着用者の手に付着した汚れを、衣類内部と身体への進入を抑制しつつ、素早く脱衣することができる衣類を提供する。【解決手段】本発明の衣類は、前身頃に着脱のための開閉部（５）を有する衣類において、前記の開閉部（５）の外側の左右の任意の位置にタブ（８ａ、８ｂ、９ａ、９ｂ）を設置してなる衣類であり、前記の開閉部（５）の上端に前記のタブの上端部を前記の開閉部（５）に合わせて取り付けし、前記の開閉部（５）にファスナーを取り付けるまでの距離（１１ａ）を前記の開閉部（５）の上端（１１）から少なくとも１ｃｍ以上開けている衣類である。
2017169718.tif 000002
【特許請求の範囲】
【請求項１】
前身頃に着脱のための開閉部を有する衣類において、前記開閉部の外側左右の任意の位置にタブを設置したことを特徴とする衣類。
【請求項２】
開閉部の上端にタブの上端部を開閉部に合わせて取り付けし、前記開閉部にファスナーを取り付けるまでの距離を前記開閉部の上端から少なくとも１ｃｍ以上開けていることを特徴とする請求項1記載の衣類。
【請求項３】
ファスナーが線ファスナーであり、ロック機構無しのスライダーが取り付けられたファスナーであることを特徴とする請求項２記載の衣類。
【請求項４】
タブが、開閉部の上端左右と前身頃の開閉部左右の任意の位置に２カ所以上取り付けられていることを特徴とする請求項１〜３のいずれかに記載の衣類。
【請求項５】
タブが、開閉部を挟んで左右に設置されており、左右のタブの大きさは非対称であり、小さい方のタブが大きい方のタブの内側に配置されることを特徴とする請求項１〜４のいずれかに記載の衣類。
【発明の詳細な説明】
【技術分野】
【０００１】  本発明は、前面に開閉部を有する衣類に関するものである。
【背景技術】
【０００２】  従来、この種の前面に開閉部を有する衣類の中には、開閉部にファスナーを設けファスナーのスライダーをつかみ、スライダーを下方に移動させることにより、開閉部を開口し脱衣する衣類が知られている。【０００３】  一方、従来技術として、フード部の前面にあるフード開口部の下側縁部から、前面側の腰部まで形成された開閉自在な前面開閉部が設けられている防護服（特許文献１参照。）や、首元部から腰部にかけて傾斜を設け、右半分を右方向に引きスライダー部を下方に移動させる衣類（特許文献２参照。）や、首部を覆う部分から腰部を覆う部分まで斜め方向にファスナーが設けられ、内部に取り付けられた取っ手を持って着脱する無塵衣（特許文献３参照。）が提案されている。
【先行技術文献】
【特許文献】
【０００４】
【特許文献１】特許第５５６００６６号公報
【特許文献２】特許第５４０９２４９号公報
【特許文献３】特許第３９１２０６０号公報
【発明の概要】
【発明が解決しようとする課題】
【０００５】  しかしながら、特許文献１のような防護服は、脱衣時にファスナーのスライダーをつかみ下方に移動させるときに、スライダー部分がつかめず脱衣に時間がかかり緊急時にすぐに脱衣できないという課題がある。【０００６】  また、特許文献２のようなスライダーにロック機構を有する場合、汚れた手でスライダーに触れるため、身体への汚れ付着の可能性が高くなるという課題がある。【０００７】  また、特許文献３のように内部に取り付けられた取っ手によって開口し着脱する場合には、開口部の内側に触れる必要があるため、手に付着した汚れが衣服内に入る可能性が高くなるという課題がある。【０００８】  そこで本発明の目的は、上記従来技術の課題を解消せんとするものであり、脱衣時に着用者の手に付着した汚れの衣類内部と身体への進入を抑制しつつ、素早く脱衣することができる衣類を提供することにある。
【課題を解決するための手段】
【０００９】  本発明は上記課題を解決するため、次の構成を採用する。【００１０】  本発明の衣類は、前身頃に着脱のための開閉部を有する衣類であって、前記の開閉部の外側左右の任意の位置にタブを設置したことを特徴とする衣類である。【００１１】  本発明の衣類の好ましい態様によれば、前記の開閉部の上端に前記のタブの上端部を開閉部に合わせて取り付けし、前記の開閉部にファスナーを取り付けるまでの距離が、前記の開閉部の上端から少なくとも１ｃｍ以上開けられていることである。【００１２】  本発明の衣類の好ましい態様によれば、前記のファスナーが線ファスナーであり、ロック機構無しのスライダーが取り付けられたファスナーである。【００１３】  本発明の衣類の好ましい態様によれば、前記のタブは、前記の開閉部の上端左右と前身頃の開閉部の左右の任意の位置に２カ所以上取り付けられていることである。【００１４】  本発明の衣類の好ましい態様によれば、前記のタブは、開閉部を挟んで左右に設置されており、左右のタブの大きさは非対称であり、小さい方のタブが大きい方のタブの内側に配置されることである。
【発明の効果】
【００１５】  本発明によれば、脱衣時に着用者の手に付着した汚れがファスナー開口部から衣類内側と身体への付着を抑制しつつ、素早く脱衣することができる衣類が得られる。
【図面の簡単な説明】
【００１６】
【図１】図１は、本発明の衣類の一態様を示す正面図である。
【図２】図２は、本発明の衣類の開閉部を示す斜視図である。
【図３】図３は、本発明の衣類の開閉部上端を示す斜視図である
【図４】図４は、本発明の衣類の別の一態様を示す正面図である。
【発明を実施するための形態】
【００１７】  本発明の衣類は、前身頃に着脱のための開閉部を有する衣類であって、前記の開閉部の外側左右の任意の位置にタブが設置されてなる衣類である。
【００１８】  本発明の衣類は、着脱のための開閉部を有し、その開閉部は前身頃の中心をとおり、腰部分の任意の位置まで達していることが好ましい態様である。
【００１９】  本発明でいう衣類とは、上衣と下衣とが一体に形成されたツナギ型の衣類や、ジャンパーや合羽など、衣類の前面に開閉部を有する衣類のことを指す。衣類としては、具体的には、防汚用の防護服や化学防護用の防護服などが挙げられる。
【００２０】  衣類に使用される布帛は、織物、編物および不織布などいずれでも良く、また、これらを構成する繊維素材としては、ポリエステルやポリエチレンなどの合成繊維が好ましく用いられる。
【００２１】  また、本発明において、開閉部の上端とは、開閉部の上端に取り付けられた第1タブの上端部を示す。
【００２２】  次に、本発明の衣類の実施形態について、図面を参照しながら具体的に説明する。
【００２３】  図１は、本発明の衣類の一態様を示した正面図である。図２は、本発明の開閉部を示した斜視図である。図３は、本発明の開閉部の上端を示した斜視図である。図４は、本発明の衣類の別の一態様を示した正面図である。
【００２４】  本発明の衣類の一態様は、図１で示されるように、上衣１と下衣２が一体に形成された型の衣類である。上衣１は、フード部３を有し、図２に示されるように、開閉部５の左右には第１タブ（大）８aと第１タブ（小）８ｂ、および第２タブ（大）９ａと第２タブ（小）９ｂが縫着されている。また、図１において、フード部３の前面には、視界を確保するための略円状の開口部３０が形成されている。下衣２は、左右の足部２１ａと足部２１ｂから成る。
【００２５】  本発明の衣類の着脱のための開閉部５は、前身頃の中心上端の位置から、腰付近まで達していることが好ましい態様である。前身頃４の開閉部５には、左右に脱衣し易くするための第1タブ（大）８ａと第１タブ（小）８ｂ、および第２タブ（大）９ａと第２タブ（小）９ｂを有し、第１タブ（大）８ａと第１タブ（小）８ｂは、開閉部上端１１に合わせて左右に縫着されており、また、第２タブ（大）９ａと第２タブ（小）９ｂは、第１タブ（大）８ａと第１タブ（小）８ｂより下部の開閉部５に縫着されることが好ましい態様である。開閉部５の左右にタブを設置し、第1タブ、第２タブの順でタブを左右に引っ張ることにより、ファスナーのスライダー７をつかむことなく開閉部５を開口させることができ、汚れた手でスライダーに触れることがないため、身体への汚れの進入を抑制しつつ、素早く脱衣することができる。
【００２６】  本発明の衣類は、前身頃に着脱のための開閉部を有する衣類において、前記の開閉部５の外側の左右の任意の位置にタブを設置することが好ましい態様である。
【００２７】  本発明において、ファスナーは、開閉部上端１１からファスナー付けまでの距離１１aを、少なくとも１ｃｍ以上とすることが好ましい態様である。このとき、図３に示されるように、開閉部上端１１とスライダー上端７ａを結んだ線の角度ａが、スライダー上端７ａの位置において４５°未満となり、スライダー７を下方へ動かす力ｄの方が左右へ開く力ｃより大きいため、ファスナー６が開き易くなる。ファスナー付けまでの距離１１aは、さらに好ましくは、１ｃｍ以上３ｃｍ以下の位置に取り付けることが好ましい。
【００２８】  ファスナー付けまでの距離１１aが１ｃｍ未満の場合、角度ａが４５°以上となり、タブを左右へ開く力ｃの方がスライダーを下方へ動かす力ｄより大きくなるため、タブを開く力ｃが同じの場合には、スライダー７を下方へ動かす力ｄが小さくなり、ファスナーが開き難くなる。また、ファスナー６の位置を３ｃｍを超えて配置した場合は、開閉部上端１１が開いてしまうため汚れが開閉部５から進入し、身体に汚れが付着する可能性がある。
【００２９】  本発明のファスナー６は、線ファスナーが好ましく、さらに、線ファスナーのスライダー７は、ロック機構無しのスライダーであることが好ましい。ロック機構有りのスライダーの場合、スライダー７を手でつかみ上方に持ち上げ下方に移動させる必要があり、手に付着した汚れが身体に付着する可能性が高くなる。
【００３０】  本発明の第２タブ（大）９ａと第２タブ（小）９ｂの取り付け位置は、第１タブ（大）８ａと第タブ（小）８ｂから、２０ｃｍ以上４０ｃｍ以下の位置が好ましい。さらに好ましくは、２５ｃｍ以上３５ｃｍ以下の位置が好ましい態様である。第２タブ９ａ、９ｂの位置が２０ｃｍ未満の場合、第２タブから腰部までの距離が長いため、第２タブを左右に広げても、開閉部５を完全に開口ことができない。また、第２タブ（大）９ａと第２タブ（小）９ｂの位置が４０ｃｍを超えて下に配置された場合、第１タブを肩幅まで開けたときに、ファスナーは鳩尾付近まで開口できるが、第２タブが鳩尾より下に配置されるため、第２タブ（大）９ａと第２タブ（小）９ｂを左右に広げても、開閉部５を開口することができない。
【００３１】  本発明においてタブは、第１タブ（大）８ａと第１タブ（小）８ｂ、および第２タブ（大）９ａと第２タブ（小）９ｂの大きさは、左右非対称であることが好ましい。さらに好ましくは、小さい方のタブ、例えば、第１タブ（小）８ｂと第２タブ（小）９ｂは、大きい方のタブ、例えば、第１タブ（大）８ａと第２タブ（大）９ａの内側に配置されることが好ましい。
【００３２】  一般的にタブを設置するときは、タブのバタツキを抑えるために、タブの内側に両面テープや面ファスナーを設置することが多い。このときに、左右のタブの大きさが同じ場合や下に配置されるタブが大きい場合、上に配置されるタブの内側に両面テープや面ファスナーなどを付設したときに、上下のタブ同士が接着されてしまう。
【００３３】  開閉部５を閉じたときに開閉部５を覆い、開いたときに開閉部５を露出させるカバー部材１０が設けられていることが好ましい。カバー部材１０は、身頃と同一生地で形成されており、そのカバー部材１０は、両面テープや面ファスナーなどによって閉じた状態を維持することができる。
【００３４】  本発明の衣類の製造は、次のように行われる。衣類を構成する生地は、上衣１、フード部３、足部２１ａ、２１ｂ、第１タブ（大）８ａ、第１タブ（小）８ｂ、第２タブ（大）９ａ、および第２タブ（小）９ｂ等の各パーツに裁断される。
【００３５】  各パーツの接合方法としては、ミシン糸による縫合、超音波や高周波ミシンによる溶着、および接着テープによる接着などが挙げられる。また、必要に応じて、接合部を樹脂テープなどにより補強することもできる。また、開閉部５の左右には、第１タブ（大）８ａと第１タブ（小）８ｂ、第２タブ（大）９ａと第２タブ（小）９ｂ、および線ファスナーが取り付けられ、開閉部５の左右どちらかに開閉部５を覆うようにカバー部材１０を取り付ける。そのほか、フード口開口部３０、袖口および足口などには、ゴムなどの伸縮性素材を縫いつける。
【００３６】  本発明の衣類の着衣と脱衣は、次のように行われる。衣類を着衣する際には、身体を開閉部５から服内に入れて装着しフード部３を被る。続いて線ファスナーのスライダー７をファスナー上端の位置まで移動させて、開閉部５を閉鎖する。その後、第１タブ（大）８ａと第１タブ（小）８ｂ、第２タブ（大）９ａと第２タブ（小）９ｂ、およびカバー部材１０を閉じて開閉部５を覆う。
【００３７】  また、衣類を脱衣する際には、カバー部材１０、第１タブ（大）８ａと第２タブ（大）９ａを開き開閉部５を露出させる。続いて、第１タブ（大）８ａと第１タブ（小）８ｂ、第２タブ（大）９ａと第２タブ（小）９ｂの順で、タブを左右に開き開閉部５を開放する。次に、フード部３から頭を抜き、両袖を抜く。服を下げ最後に両足を抜いて脱衣する。
【００３８】  本発明の衣類としては、具体的に、防汚用防護服や化学防護服などが挙げられる。
【実施例】
【００３９】  次に、本発明の衣類について、実施例を挙げてさらに具体的に説明する実施例において用いた品質評価は、次の方法で実施した。【００４０】  (１) 第１タブ（大）８ａと第１タブ（小）８ｂ、第２タブ（大）９ａと第２タブ（小）９ｂ脱衣時間の測定：  つなぎタイプの衣類を着用した状態からに脱衣を始め、足首まで脱衣を完了した状態までの時間を測定した。【００４１】  (２)脱衣時に衣類のスライダーに手が触れるか否かを評価：  脱衣時にスライダーに触れなければ○、触れる可能性があれば×で評価した。【００４２】  （実施例１）  表面と裏面に不織布を用い、その表面と裏面の不織布の間に、防水透湿性のフィルムを配した不織布を使用して、上下連続したつなぎ型の衣類を縫製した。各所の接ぎ合わせは超音波溶着機を使用し、縫い代１ｃｍで溶着後、溶着部分を樹脂テープで接着した。このとき、開閉部５に縫い付ける第１タブ（大）８ａおよび第１タブ（小）８ｂと、第２タブ（大）９ａおよび第２タブ（小）９ｂの位置は、３０ｃｍとし、ファスナー６にロック機構無しのスライダー７を付け、ファスナー付けまでの距離１１ａを１ｃｍとした。開閉部５をカバー部材１０で覆うようにカバー部材１０を縫着した。このとき、第１タブ（大）８ａと第２タブ（大）９ａは、カバー部材１０の下に配置した。また、開口部３０、袖口および足口には、ゴムを縫い付けた。結果を表１に示す。【００４３】  表１に示すとおり、カバー部材１０の下にタブを配置したため、脱衣にタブを開放すると同時にカバー部材１０も開放できるため脱衣時間を短縮することができた。また、脱衣時にスライダー７に触れる必要が無いため、身体が汚れることがなかった。【００４４】  （実施例２）  生地に実施例１と同じ不織布を使用して、上下連続したつなぎ型の衣類を縫製した。各所の接ぎ合わせには、オーバーロックミシンを使用し、縫い代０．７ｃｍで縫製した。このとき、開閉部５に縫い付ける第１タブ（大）８ａおよび第１タブ（小）８ｂと、第２タブ（大）９ａおよび第２タブ（小）９ｂの位置は、２５ｃｍとし、ファスナー６にロック機構無しのスライダー７を付け、ファスナー付けまでの距離１１ａを３ｃｍとした。開閉部５を、カバー部材１０で覆うようにカバー部材を縫着した。このとき、第１タブ（大）８ａと第２タブ（大）９ａは、カバー部材１０の下に配置した。また、開口部３０、袖口および足口には、ゴムを縫い付けた。結果を表１に示す。【００４５】  表１に示すとおり、カバー部材１０の下にタブを配置したため、脱衣にタブを開放すると同時にカバー部材１０も開放できるため、脱衣時間を短縮することができた。また、脱衣時にスライダーに触れる必要が無いため、身体が汚れることがなかった。【００４６】  （実施例３）  生地に綿１００％の織物を使用して、上下連続したつなぎ型の衣類を縫製した。各所の継ぎ合わせには、オーバーロックミシンを使用し、縫い代０．７ｃｍで縫製した。このとき開閉部５に縫い付ける第１タブ（大）８ａおよび第１タブ（小）８ｂと、第２タブ（大）９ａおよび第２タブ（小）９ｂの位置は、３５ｃｍとし、ファスナー６にロック機構無しのスライダー７を付け、ファスナー付けまでの距離１１ａを１ｃｍとした。開閉部５をカバー部材１０で覆うように、カバー部材を縫着した。このとき、第１タブ（大）８ａと第２タブ（大）９ａは、カバー部材１０の下に配置した。また、袖口と足口には、ゴムを縫い付けた。結果を表１に示す。【００４７】  表１に示すとおり、カバー部材１０の下にタブを配置したため、脱衣にタブを開放すると同時にカバー部材１０も開放できるため、脱衣時間を短縮することができた。また、脱衣時にスライダー７に触れる必要が無いため、身体が汚れることがなかった。【００４８】  （実施例４）  生地として、実施例３と同じ織物を使用して、上衣を縫製した。各所の接ぎ合わせはオーバーロックミシンを使用し、縫い代０．７ｃｍで縫製した。このとき、開閉部５に縫い付ける第１タブ（大）８ａおよび第１タブ（小）８ｂと、第２タブ（大）９ａおよび第２タブ（小）９ｂの位置は、３０ｃｍとし、ファスナー６にロック機構無しのスライダー７を付け、ファスナー付けまでの距離１１ａを１ｃｍとした。開閉部５をカバー部材１０で覆うように、カバー部材１０を縫着した。この時とき、第１タブ（大）８ａと第２タブ（大）９ａは、カバー部材１０の下に配置した。また、袖口と足口には、ゴムを縫い付けた。結果を表１に示す。【００４９】  表１に示すとおり、カバー部材１０の下にタブを配置したため、脱衣にタブを開放すると同時にカバー部材１０も開放できるため、脱衣時間を短縮することができた。また、脱衣時にスライダー７に触れる必要が無いため、身体が汚れることがなかった。【００５０】  （比較例１）  実施例１と同様に、生地として、表面と裏面に不織布を用い、その表面と裏面の不織布の間に防水透湿のフィルムを用いた不織布を使用して、上下連続したつなぎ型の衣類を縫製した。各所の継ぎ合わせには、超音波溶着機を使用し、縫い代１ｃｍで溶着後、溶着部分を樹脂テープで接着した。このとき開閉部５の左側に1枚のみタブ（大）を開口部５の上端に縫着し、ファスナー６に取り付けるスライダー７をロック機構有りのスライダーとし、ファスナー付けまでの距離１１ａを０ｃｍとした。開閉部５をカバー部材１０で覆うように、カバー部材１０を縫着した。このとき、タブはカバー部材１０上に配置した。また、フード口、袖口および足口には、ゴムを縫い付けた。結果を表１に示す。【００５１】  表１に示すとおり、カバー部材１０の上にタブを配置したため、脱衣時に、タブとカバー部材１０の順に開放する必要があり、脱衣に時間が掛かった。また、脱衣時に手がスライダーに触れるため、身体が汚れる可能性がある。【００５２】  （比較例２）  生地として、実施例１と同様に、表面と裏面に不織布を用い、その表面と裏面の不織布の間に、防水透湿のフィルムを用いた不織布を使用して、上下連続したつなぎ型の衣類を縫製した。各所の継ぎ合わせには、超音波溶着機を使用し、縫い代１ｃｍで溶着後、溶着部分を樹脂テープで接着した。このとき、開閉部上端１１にのみ、第１タブ（大）８ａを縫着し、ファスナー６に取り付けるスライダー７をロック機構無しのスライダーとし、ファスナー付けまでの距離１１ａを１ｃｍとした。開閉部５をカバー部材１０で覆うように、カバー部材１０を縫着した。このとき、タブ（大）８ａをカバー部材１０の上��配置した。また、フード口、袖口および足口には、ゴムを縫い付けた。結果を表１に示す。【００５３】  表１に示すとおり、カバー部材１０の上にタブを配置したため、脱衣時に、タブとカバー部材１０の順に開放する必要があり、脱衣に時間が掛かった。また、脱衣時にスライダーに手が触れるため、身体が汚れる可能性がある。【００５４】  （比較例３）  生地として、実施例４と同じ織物を使用して、上衣を縫製した。各所の接ぎ合わせには、オーバーロックミシンを使用し、縫い代０．７ｃｍで縫製した。このとき開閉部上端１１にのみ、第１タブ（大）８ａを縫着し、ファスナー６に取り付けるスライダー７をロック機構無しのスライダーとし、ファスナー付けまでの距離１１ａを１ｃｍとした。開閉部５をカバー部材１０で覆うように、カバー部材１０を縫着した。このとき、タブ（大）８ａをカバー部材１０の上に配置した。また、フード口、袖口および足口にはゴムを縫い付けた。結果を表１に示す。【００５５】  表１に示すとおり、カバー部材１０の上にタブを配置したため、脱衣にタブ、前立ての順に開放する必要が有り脱衣に時間が掛かった。また、脱衣時にスライダーに触れるため、身体が汚れる可能性がある。【００５６】
【表１】
2017169718.tif 000003
【符号の説明】
【００５７】１  ：上衣２  ：下衣３  ：フード部４  ：前身頃５  ：開閉部６  ：ファスナー７  ：スライダー７ａ：スライダー上端８ａ：第１タブ（大）８ｂ：第１タブ（小）９ａ：第２タブ（大）９ｂ：第２タブ（小）１０：カバー部材１１：開閉部上端１１ａ：ファスナー付けまでの距離２１ａ：足部２１ｂ：足部３０：開口部ａ  ：角度ｂ  ：開口するときの力の加わる方向ｃ  ：タブを開くときに加える力ｄ  ：スライダーを下方へ動かす力
【図１】
2017169718.tif 000004
【図２】
2017169718.tif 000005
【図３】
2017169718.tif 000006
【図４】
2017169718.tif 000007
【国際調査報告】
2017169718.tif 000008
2017169718.tif 000009
2017169718.tif 000010
2017169718.tif 000011